(57)【要約】【課題】メイン電源をオフの状態のままで記録媒体の録画可能時間をすぐに確認することができ、ユーザにとって利便性の高いものとなる録画装置を提供する。【解決手段】メイン電源オフの操作がされる、または予約録画が完了すると、メインＣＰＵ１０がサブＣＰＵ２３にハードディスクの残り容量情報を送出し、サブＣＰＵ２３はこれをＲＡＭ２４に記憶させ、メイン電源オフの状態となり、サブＣＰＵ２３は残り容量情報に基づき各録画モードに対応する録画可能時間を算出し、操作部２９が有する録画モードボタンが押し下げられるたびに各録画モードに対応する録画可能時間および各録画モードを表す文字を液晶表示部２６に順次表示させる。【選択図】図１
2007234145.tif 000002
【特許請求の範囲】
【請求項１】
第一の制御手段と、第二の制御手段と、記憶手段と、表示手段と、を備え、複数の録画モードを有し、
前記第一の制御手段および前記第二の制御手段に電源が供給される状態で、前記第一の制御手段は、記録媒体の残り容量を表す情報である残り容量情報を前記第二の制御手段に送出し、前記第二の制御手段が該残り容量情報を前記記憶手段に記憶させ、
前記第二の制御手段の制御により前記第一の制御手段に電源が供給されず前記第二の制御手段に電源が供給される状態であるメイン電源がオフの状態となり、
前記第二の制御手段は、前記残り容量情報に基づき録画可能時間を算出し、操作手段において所定の操作がされるたびに各録画モードに対応する録画可能時間および各録画モードを表す文字を順次前記表示手段に表示させる、
ことを特徴とする録画装置。
【請求項２】
第一の制御手段と、第二の制御手段と、記憶手段と、表示手段と、を備え、
前記第一の制御手段および前記第二の制御手段に電源が供給される状態で、前記第一の制御手段は、記録媒体の残り容量を表す情報である残り容量情報を前記第二の制御手段に送出し、前記第二の制御手段が該残り容量情報を前記記憶手段に記憶させ、
前記第二の制御手段の制御により前記第一の制御手段に電源が供給されず前記第二の制御手段に電源が供給される状態であるメイン電源がオフの状態となり、
前記第二の制御手段は、前記残り容量情報に基づき録画可能時間を算出し、該録画可能時間を前記表示手段に表示させる、
ことを特徴とする録画装置。
【請求項３】
複数の録画モードを有し、操作手段において所定の操作がされるたびに前記第二の制御手段は、各録画モードに対応する録画可能時間を順次前記表示手段に表示させる、ことを特徴とする請求項２に記載の録画装置。
【請求項４】
複数の録画モードを有し、前記第二の制御手段は、録画可能時間に加えて各録画モードを表す文字を前記表示手段に表示させる、ことを特徴とする請求項２に記載の録画装置。
【発明の詳細な説明】
【技術分野】
【０００１】
本発明は、録画装置に関する。
【背景技術】
【０００２】
ハードディスクレコーダ等の録画装置には通常、予約録画機能が付いている。予約録画は、メイン電源がオフの状態で予めユーザにより設定された録画開始時刻になると自動で内部パワーがオンとなり録画が開始され、予めユーザにより設定された録画終了時刻となり録画が完了すると自動で内部パワーがオフとなり、メイン電源がオフの状態となる。
【０００３】
ここで、予約録画が開始される前のメイン電源がオフの状態で、ユーザがハードディスク等の記録媒体に録画できる録画可能時間を確認し、予約録画を完了することができるか確認したい場合がある。この場合、従来ユーザはメイン電源をオンとして録画可能時間を確認してからメイン電源をオフとすることをしていた。
【０００４】
なお、本発明に関連するものとしては、例えば特許文献１に、装填されている記録媒体の空き容量が常に管理され、空き容量が所望する一定容量以下になると、電源オフの状態でも常に警告を発する情報記録装置が開示されている。
【特許文献１】特開２００５−１０８２８２号公報
【発明の開示】
【発明が解決しようとする課題】
【０００５】
しかし、上記従来の方法では、ユーザは録画可能時間を確認するのにメイン電源をオンとして確認する必要があり時間がかかるため、ユーザにとって不便であった。
【０００６】
本発明は上記問題点を鑑みてなされ、メイン電源をオフの状態のままで記録媒体の録画可能時間をすぐに確認することができ、ユーザにとって利便性が高くなる録画装置を提供することを目的とする。
【課題を解決するための手段】
【０００７】
上記目的を達成するために本発明の録画装置は、第一の制御手段と、第二の制御手段と、記憶手段と、表示手段と、を備え、
前記第一の制御手段および前記第二の制御手段に電源が供給される状態で、前記第一の制御手段は、記録媒体の残り容量を表す情報である残り容量情報を前記第二の制御手段に送出し、前記第二の制御手段が該残り容量情報を前記記憶手段に記憶させ、
前記第二の制御手段の制御により前記第一の制御手段に電源が供給されず前記第二の制御手段に電源が供給される状態であるメイン電源がオフの状態となり、
前記第二の制御手段は、前記残り容量情報に基づき録画可能時間を算出し、該録画可能時間を前記表示手段に表示させる、
ことを特徴としている。
【０００８】
このような構成によれば、ユーザはメイン電源をオンとする必要がなく、メイン電源をオフの状態のままで記録媒体の録画可能時間をすぐに確認することができるので、ユーザにとって利便性の高いものとなる。
【０００９】
また、上記構成において、複数の録画モードを有し、操作手段において所定の操作がされるたびに前記第二の制御手段は、各録画モードに対応する録画可能時間を順次前記表示手段に表示させる、ようにしてもよい。
【００１０】
また、上記構成において、複数の録画モードを有し、前記第二の制御手段は、録画可能時間に加えて各録画モードを表す文字を前記表示手段に表示させる、ようにしてもよい。
【発明の効果】
【００１１】
本発明の録画装置によれば、メイン電源をオフの状態のままで記録媒体の録画可能時間をすぐに確認することができるので、ユーザにとって利便性の高いものとなる。
【発明を実施するための最良の形態】
【００１２】
以下、本発明の実施形態について図面を参照しつつ説明する。ここでは、ハードディスクレコーダを例として説明するが、本発明はこれに限られることはなく、ＤＶＤレコーダ等の他の録画装置にも適用可能である。
【００１３】
図１は、本発明に係るハードディスクレコーダ１の構成を示すブロック図である。
【００１４】
アンテナ２は、放送電波信号を受信し高周波信号である放送信号をチューナ３に送出する。チューナ３は、アンテナ２から受信した放送信号から所定の周波数の放送信号を選局する。
【００１５】
音声検波部４は、チューナ３の出力信号から音声信号を検波する。Ａ／Ｄコンバータ８は、音声検波部４から受信した音声信号をデジタル音声信号に変換する。映像検波部５は、チューナ３の出力信号からコンポジット信号を検波する。ビデオデコーダ７は、映像検波部５から受信したコンポジット信号をデジタル映像信号に変換する。ＭＰＥＧエンコーダ９は、上記デジタル映像信号および上記デジタル音声信号をＭＰＥＧ２に準拠して圧縮符号化する。ハードディスクドライブ１１は、上記圧縮符号化されたデジタル映像信号およびデジタル音声信号を内蔵するハードディスクに記録したり、ハードディスクから読み出したりする。ＥＰＧ抽出部６は、チューナ３の出力信号からＥＰＧ（電子番組表）データを抽出する。
【００１６】
ＭＰＥＧデコーダ１５は、圧縮符号化されたデジタル映像信号およびデジタル音声信号をＭＰＥＧ２に準拠して復号化する。また、スイッチ１９は、ＭＰＥＧデコーダ１５からＯＳＤ（Ｏｎ  Ｓｃｒｅｅｎ  Ｄｉｓｐｌａｙ）部２１への信号経路のオンオフを行う。また、スイッチ２０は、ビデオデコーダ７からＯＳＤ部２１への信号経路のオンオフを行う。ＯＳＤ部２１は、図形信号や文字信号を生成し、ビデオデコーダ７またはＭＰＥＧデコーダ１５から受信したデジタル映像信号と合成して表示信号としてビデオエンコーダ２２に送出する。なお、ＯＳＤ部２１は、図形信号や文字信号のみを表示信号としてビデオエンコーダ２２に送出する場合もある。ビデオエンコーダ２２は、ＯＳＤ部２１から受信した表示信号をコンポジット信号に変換してハードディスレコーダ１に接続された図示しないテレビ等の表示装置に送出する。表示装置の画面には、コンポジット信号に基づき映像が表示される。
【００１７】
Ｄ／Ａコンバータ１６は、ＭＰＥＧデコーダ１５から受信したデジタル音声信号をアナログ音声信号に変換する。スイッチ１７は、音声検波部４からハードディスクレコーダ１外部への信号経路のオンオフを行う。また、スイッチ１８は、Ｄ／Ａコンバータ１６からハードディスクレコーダ１外部への信号経路のオンオフを行う。音声検波部４またはＤ／Ａコンバータ１６からのアナログ音声信号はスイッチ１７またはスイッチ１８を介して、ハードディスレコーダ１に接続された図示しない表示装置に送出される。表示装置のスピーカからは、アナログ音声信号に基づき音声が発せられる。
【００１８】
ＲＡＭ１２は、メインＣＰＵ１０のワークメモリに用いられる。フラッシュメモリ１３は、ＥＰＧデータ等が記憶される不揮発性メモリである。内部時計１４は、時刻を計るものである。
【００１９】
ＲＡＭ２４は、サブＣＰＵ２３のワークメモリに用いられる。内部時計２５は、時刻を計るものである。液晶表示部２６は、現在時刻等を表示する。リモコン受信部２７は、リモコン２８からの赤外線信号を受信および復調し、操作信号をサブＣＰＵ２３に送出する。リモコン２８は、ボタン等を有し、ボタン等の操作に対応する赤外線信号を送出する。また、操作部２９は、ボタン等を有し、ボタン等の操作に対応する操作信号をサブＣＰＵ２３に送出する。
【００２０】
以上のような構成のハードディスクレコーダ１の動作について以下説明する。
【００２１】
ハードディスクレコーダ１が有する電源プラグが電源用コンセントに接続されると、サブＣＰＵ２３、ＲＡＭ２４、内部時計２５、液晶表示部２６、リモコン受信部２７、操作部２９（以下まとめてサブ部という）に電源が供給される。ここで、リモコン２８においてメイン電源をオンとする操作がされると、リモコン受信部２７はその操作に対応する赤外線信号をリモコン２８から受信し、操作信号をサブＣＰＵ２３に送出する。すると、サブＣＰＵ２３の制御により、図１中ハードディスクレコーダ１においてサブ部以外の各部（スイッチ類は除く、以下まとめてメイン部という）に電源が供給され、メイン電源がオンの状態となる。
【００２２】
メイン電源がオンの状態で、リモコン２８において放送番組視聴のための操作がされると、メインＣＰＵ１０は、スイッチ１７をオン、スイッチ１８をオフ、スイッチ１９をオフ、スイッチ２０をオンとする。これにより、ＯＳＤ部２１は、ビデオデコーダ７からのデジタル映像信号を受信する。ＯＳＤ部２１は、表示枠等の図形信号や現在選局されているチャンネル番号等の文字信号を生成し、上記デジタル映像信号と合成して表示信号としてビデオエンコーダ２２に送出する。そして、ビデオエンコーダ２２で表示信号がコンポジット信号に変換され表示装置に送出され、表示装置の画面にコンポジット信号に基づく映像が表示される。また、音声検波部４からの音声信号が表示装置に送出され、表示装置のスピーカから音声信号に基づく音声が発せられる。これにより、ユーザは放送番組を視聴することができる。
【００２３】
また、メイン電源がオンの状態で、リモコン２８において通常録画のための操作がされると、メインＣＰＵ１０は、指定されたチャンネル番号を選局するようチューナ３に指示し、ＭＰＥＧエンコーダ９に指定された録画モードに対応するビットレートで圧縮符号化するよう指示する。
【００２４】
ここで、録画モードには、ＸＰ（高画質）モード、ＳＰ（標準）モード、ＬＰ（長時間）モードがあり、圧縮時のビットレートの大きさは、ＸＰモード＞ＳＰモード＞ＬＰモード、である。
【００２５】
そして、メインＣＰＵ１０は、ＭＰＥＧエンコーダ９から受信した圧縮符号化されたデジタル映像信号およびデジタル音声信号をハードディスクドライブ１１に送出する。そして、ハードディスクドライブ１１は、圧縮符号化されたデジタル映像信号およびデジタル音声信号を内蔵するハードディスクに記録してゆき、指定されたチャンネル番号の放送番組が指定された録画モードで録画される。
【００２６】
また、メイン電源がオンの状態で、リモコン２８において予約録画設定のための操作がされると、メインＣＰＵ１０は、指定された録画開始時刻情報、録画終了時刻情報、チャンネル番号情報、録画モード情報を対応させてフラッシュメモリ１３に記憶させる。
【００２７】
そして、リモコン２８においてメイン電源をオフとする操作がされると、サブＣＰＵ２３は、その操作に対応する操作信号をリモコン受信部２７から受信し、メインＣＰＵ１０にその旨を伝える。すると、メインＣＰＵ１０は、上記でフラッシュメモリ１３に記憶された録画開始時刻情報をサブＣＰＵ２３に送出し、サブＣＰＵ２３はＲＡＭ２４に録画開始時刻情報を記憶させる。そして、サブＣＰＵ２３は、メイン部への電源供給を切るように制御し、サブ部にのみ電源が供給される状態となり、メイン電源がオフとなる。
【００２８】
その後、内部時計２５で得られた現在時刻情報とＲＡＭ２４に記憶された録画開始時刻情報とが一致すると、サブＣＰＵ２３は、メイン部に電源供給されるよう制御し、メイン部に電源が供給される。そして、サブＣＰＵ２３は、メインＣＰＵ１０に起動理由を予約録画とする起動理由情報を送出し、メインＣＰＵ１０はこれを受信する。すると、メインＣＰＵ１０は、スイッチ１７、１８、１９、２０をオフとし、表示装置に音声信号とコンポジット信号は送出されない状態となる。これはいわゆる内部パワーオンの状態である。
【００２９】
そして、サブＣＰＵ２３は、メインＣＰＵ１０からの要求により、上記で現在時刻情報と一致した録画開始時刻情報と内部時計２５で得られる現在時刻情報とをメインＣＰＵ１０に送出し、メインＣＰＵ１０はこれらを受信する。そして、メインＣＰＵ１０は、受信した録画開始時刻情報に対応するフラッシュメモリ１３に記憶された録画終了時刻情報をＲＡＭ１２に記憶させ、内部時計１４の現在時刻を受信した現在時刻情報が表す時刻に設定し、受信した録画開始時刻情報に対応するフラッシュメモリ１３に記憶されたチャンネル番号情報が表すチャンネル番号を選局するようチューナ３に指示し、受信した録画開始時刻情報に対応するフラッシュメモリ１３に記憶された録画モード情報に対応するビットレートで圧縮符号化するようＭＰＥＧエンコーダ９に指示する。
【００３０】
そして、メインＣＰＵ１０は、ＭＰＥＧエンコーダ９から受信した圧縮符号化されたデジタル映像信号およびデジタル音声信号をハードディスクドライブ１１に送出する。そして、ハードディスクドライブ１１は、圧縮符号化されたデジタル映像信号およびデジタル音声信号を内蔵するハードディスクに記録してゆき、指定されたチャンネル番号の放送番組が指定された録画モードで録画される。
【００３１】
そして、内部時計１４で得られた現在時刻情報と上記でＲＡＭ１２に記憶された録画終了時刻情報とが一致すると、メインＣＰＵ１０は、圧縮符号化されたデジタル映像信号およびデジタル音声信号をハードディスクドライブ１１に送出するのを停止し、録画が停止される。そして、メインＣＰＵ１０は、ハードディスクドライブ１１が内蔵するハードディスクの残り容量を表す情報である残り容量情報をサブＣＰＵ２３に送出し、サブＣＰＵ２３はこの残り容量情報をＲＡＭ２４に記憶させ、メイン部への電源供給が切れるように制御し、メイン部への電源供給が切れ、内部パワーオフの状態（メイン電源オフと同じ状態）になる。なお、以降の動作については後述する。
【００３２】
また、メイン電源がオンの状態で、リモコン２８においてハードディスク再生のための操作がされると、メインＣＰＵ１０は、スイッチ１７をオフ、スイッチ１８をオン、スイッチ１９をオン、スイッチ２０をオフとする。そして、メインＣＰＵ１０は、指定されたタイトル名に対応する圧縮符号化されたデジタル映像信号およびデジタル音声信号をハードディスクから読み出すようハードディスクドライブ１１に指示し、ハードディスクドライブ１１は、ハードディスクから圧縮符号化されたデジタル映像信号およびデジタル音声信号を読み出し、メインＣＰＵ１０に送出する。そして、メインＣＰＵ１０は、圧縮符号化されたデジタル映像信号およびデジタル音声信号をＭＰＥＧデコーダ１５に送出する。ＭＰＥＧデコーダ１５は、圧縮符号化されたデジタル映像信号を復号化し、ＯＳＤ部２１に送出する。ＯＳＤ部２１は、表示枠等の図形信号や指定されたタイトル名等の文字信号を生成し、上記復号化されたデジタル映像信号と合成して表示信号としてビデオエンコーダ２２に送出する。そして、ビデオエンコーダ２２で表示信号がコンポジット信号に変換され表示装置に送出され、表示装置の画面にコンポジット信号に基づく映像が表示される。また、ＭＰＥＧデコーダ１５は、圧縮符号化されたデジタル音声信号を復号化し、Ｄ／Ａコンバータ１６に送出する。Ｄ／Ａコンバータ１６は、復号化されたデジタル音声信号をアナログ音声信号に変換し、表示装置に送出する。そして、表示装置のスピーカからアナログ音声信号に基づく音声が発せられる。これにより、ユーザはハードディスクに録画した所望する放送番組を再生視聴することができる。
【００３３】
次に、本発明の特徴であるメイン電源オフ時のハードディスクレコーダ１の動作について図２のフローチャートに沿って説明する。
【００３４】
まず、ステップＳ２０で、メイン電源がオンの状態でリモコン２８によりメイン電源オフの操作がされると、サブＣＰＵ２３はその旨をメインＣＰＵ１０に伝え、メインＣＰＵ１０は、ハードディスクドライブ１１が内蔵するハードディスクの残り容量を表す情報である残り容量情報をサブＣＰＵ２３に送出し、サブＣＰＵ２３はこの残り容量情報をＲＡＭ２４に記憶させ、メイン部の電源供給が切れるよう制御しメイン電源がオフの状態となる。
【００３５】
または、ステップＳ２０では、前述したように予約録画が完了し、サブＣＰＵ２３がメインＣＰＵ１０から受信した残り容量情報をＲＡＭ２４に記憶させ、内部パワーがオフの状態（メイン電源オフと同じ状態）となる。
【００３６】
そして、ステップＳ２１で、サブＣＰＵ２３は、内部時計２５で得られる現在時刻情報に基づき液晶表示部２６に図３（ａ）のように現在時刻を表示させる。
【００３７】
そして、操作部２９が有する録画モードボタンが押し下げられるまでは（ステップＳ２２のＮ）液晶表示部２６に現在時刻が表示され、録画モードボタンが押し下げられると（ステップＳ２２のＹ）、ステップＳ２３に進む。
【００３８】
ステップＳ２３で、サブＣＰＵ２３は、上記ステップＳ２０でＲＡＭ２４に記憶された残り容量情報および各録画モードに対応する圧縮時のビットレートに基づき各録画モードに対応する録画可能時間を算出し、ＲＡＭ２４に記憶させる。
【００３９】
そして、ステップＳ２４で、サブＣＰＵ２３は、不図示のタイマに時間計測を開始させる。
【００４０】
そして、ステップＳ２５で、サブＣＰＵ２３は、上記ステップＳ２３でＲＡＭ２４に記憶された録画可能時間算出結果に基づき液晶表示部２６に図３（ｂ）のようにＸＰモードに対応する録画可能時間を表示させ、ＸＰモードを表す文字も併せて表示させる。
【００４１】
そして、もし上記ステップＳ２４で時間計測を開始してから所定時間内に録画モードボタンが押し下げられれば（ステップＳ２６のＹ）、サブＣＰＵ２３は、ステップＳ２７でタイマに時間計測をリセットして再開させる。そして、ステップＳ２５で、上記ステップＳ２３でＲＡＭ２４に記憶された録画可能時間算出結果に基づき液晶表示部２６に図３（ｃ）のようにＳＰモードに対応する録画可能時間を表示させ、ＳＰモードを表す文字も併せて表示させる。
【００４２】
そして、もし上記ステップＳ２７で時間計測を開始してから所定時間内に録画モードボタンが押し下げられれば（ステップＳ２６のＹ）、サブＣＰＵ２３は、ステップＳ２７でタイマに時間計測をリセットして再開させる。そして、ステップＳ２５で、上記ステップＳ２３でＲＡＭ２４に記憶された録画可能時間算出結果に基づき液晶表示部２６に図３（ｄ）のようにＬＰモードに対応する録画可能時間を表示させ、ＬＰモードを表す文字も併せて表示させる。
【００４３】
そして、もし上記ステップＳ２７で時間計測を開始してから所定時間内に録画モードボタンが押し下げられれば（ステップＳ２６のＹ）、上記と同様のステップを進み、液晶表示部２６に再び図３（ｂ）のようにＸＰモードを表す文字とＸＰモードに対応する録画可能時間とが表示される。以降、録画モードボタンが押し下げられ時間計測が開始されてから所定時間内に録画モードボタンが押し下げられるたびにＳＰ→ＬＰ→ＸＰ→ＳＰ→ＬＰ・・・の順に録画モードを表す文字とその録画モードに対応する録画可能時間とが液晶表示部２６に表示されることになる。
【００４４】
そして、もしステップＳ２４またはステップＳ２７で時間計測が開始されてから所定時間内に録画モードボタンが押し下げられなければ（ステップＳ２６のＮ）、ステップＳ２１に戻り、サブＣＰＵ２３は、内部時計２５で得られる現在時刻情報に基づき液晶表示部２６に再び図３（ａ）のように現在時刻を表示させる。
【００４５】
これにより、ユーザはメイン電源をオンとする必要がなく、メイン電源をオフの状態のままでハードディスクの録画可能時間をすぐに確認することができるので、ユーザにとって利便性の高いものとなる。
【００４６】
なお、上記の説明では、ステップＳ２３ですべての録画モードに対応する録画可能時間が算出されたが、ステップＳ２３ではＸＰモードに対応する録画可能時間が算出され、ステップＳ２６のＹの場合に、ステップＳ２５で表示させる録画モードに対応する録画可能時間が算出されるようにしてもよい。
【図面の簡単な説明】
【００４７】
【図１】は、本発明に係るハードディスクレコーダの構成を示すブロック図である。
【図２】は、本発明に係るハードディスクレコーダの動作手順を示すフローチャートである。
【図３】は、図２のフローチャートにおける表示画面例を示す図である。
【符号の説明】
【００４８】
１    ハードディスクレコーダ
２    アンテナ
３    チューナ
４    音声検波部
５    映像検波部
６    ＥＰＧ抽出部
７    ビデオデコーダ
８    Ａ／Ｄコンバータ
９    ＭＰＥＧエンコーダ
１０    メインＣＰＵ
１１    ハードディスクドライブ
１２    ＲＡＭ
１３    フラッシュメモリ
１４    内部時計
１５    ＭＰＥＧデコーダ
１６    Ｄ／Ａコンバータ
１７    スイッチ
１８    スイッチ
１９    スイッチ
２０    スイッチ
２１    ＯＳＤ部
２２    ビデオエンコーダ
２３    サブＣＰＵ
２４    ＲＡＭ
２５    内部時計
２６    液晶表示部
２７    リモコン受信部
２８    リモコン
２９    操作部
【図１】
2007234145.tif 000003
【図２】
2007234145.tif 000004
【図３】
2007234145.tif 000005